(57)【要約】【課題】水が側方により一層落下しにくい軒樋吊具を得る。【解決手段】側壁部２ｅの下端部で天壁部２ｄの幅方向外方に向けて突出し軒外方に向けて下方に傾斜しながら延伸する受水壁部２ｇを設けた。よって、水が遮水壁部２ｆを超えた場合にあっても、その水を受水壁部２ｇで受けて軒外方側へ流すことができるため、水が側方へ落下するのをより一層抑制することができる。【選択図】図２
2010255266.tif 000002
【特許請求の範囲】
【請求項１】
鼻隠しに固定される鼻隠し固定部と、当該鼻隠し固定部から軒外方に向けて略帯状に伸びる天壁部と当該天壁部の幅方向両端部でそれぞれ下方に向けて突出して前記天壁部の延伸方向に略沿って略帯状に伸びる一対の側壁部と前記天壁部の幅方向両端部でそれぞれ上方に向けて突出して前記天壁部の延伸方向に略沿って伸びる遮水壁部とを有するアーム部と、を備え、当該アーム部の下方に軒樋を支持する軒樋支持部が連結される軒樋吊具において、
前記側壁部の下端部に、前記天壁部の幅方向外方に向けて突出し軒外方に向けて下方に傾斜しながら前記天壁部の延伸方向に略沿って延伸する受水壁部を設けたことを特徴とする軒樋吊具。
【請求項２】
前記遮水壁部の軒外方側に、軒外方側に向かうにつれて前記受水壁部に近接して前記遮水壁部に沿って流れる水を前記受水壁部に導くガイド部を設けたことを特徴とする請求項１に記載の軒樋吊具。
【請求項３】
前記受水壁部の軒外方側の先端を、前記ガイド部の軒外方側の先端より軒外方側に設定したことを特徴とする請求項２に記載の軒樋吊具。
【請求項４】
前記受水壁部に、前記天壁部の幅方向中央に向けて下方に傾斜する傾斜天面を形成したことを特徴とする請求項１〜３のうちいずれか一つに記載の軒樋吊具。
【発明の詳細な説明】
【技術分野】
【０００１】
本発明は、軒樋吊具に関する。
【背景技術】
【０００２】
従来の軒樋吊具として、鼻隠し固定部から軒先外方に向けて伸びるアーム部の天面から側方に水が落下するのを抑制するため、天面の幅方向両端部に堰き止め部を設けたものが知られている（特許文献１）。
【先行技術文献】
【特許文献】
【０００３】
【特許文献１】特開２００８−１２７９６５号公報
【発明の概要】
【発明が解決しようとする課題】
【０００４】
しかしながら、上記特許文献１の構造でも、多量の水が天面に流れ込むなどして堰き止め部を超えると、水は側方に落下してしまう。
【０００５】
そこで、本発明は、水が側方により一層落下しにくい軒樋吊具を得ることを目的とする。
【課題を解決するための手段】
【０００６】
請求項１の発明にあっては、鼻隠しに固定される鼻隠し固定部と、当該鼻隠し固定部から軒外方に向けて略帯状に伸びる天壁部と当該天壁部の幅方向両端部でそれぞれ下方に向けて突出して上記天壁部の延伸方向に略沿って略帯状に伸びる一対の側壁部と上記天壁部の幅方向両端部でそれぞれ上方に向けて突出して上記天壁部の延伸方向に略沿って伸びる遮水壁部とを有するアーム部と、を備え、当該アーム部の下方に軒樋を支持する軒樋支持部が連結される軒樋吊具において、上記側壁部の下端部に、上記天壁部の幅方向外方に向けて突出し軒外方に向けて下方に傾斜しながら上記天壁部の延伸方向に略沿って延伸する受水壁部を設けたことを特徴とする。
【０００７】
請求項２の発明にあっては、上記遮水壁部の軒外方側に、軒外方側に向かうにつれて上記受水壁部に近接して上記遮水壁部に沿って流れる水を上記受水壁部に導くガイド部を設けたことを特徴とする。
【０００８】
請求項３の発明にあっては、上記受水壁部の軒外方側の先端を、上記ガイド部の軒外方側の先端より軒外方側に設定したことを特徴とする。
【０００９】
請求項４の発明にあっては、上記受水壁部に、上記天壁部の幅方向中央に向けて下方に傾斜する傾斜天面を形成したことを特徴とする。
【発明の効果】
【００１０】
請求項１の発明によれば、水が遮水壁部を超えた場合にあっても、その水を受水壁部で受けて軒外方側へ流すことができるため、水が側方へ落下するのをより一層抑制することができる。
【００１１】
請求項２の発明によれば、ガイド部を設けない場合に比べて、水を遮水壁部から受水壁部へより確実に導くことができるため、水が側方へ落下するのをより一層抑制することができる。
【００１２】
請求項３の発明によれば、ガイド部の軒外方の先端に到来した水を受水壁部で受けて軒外方へ流すことができるため、ガイド部をより短く形成して、材料の無駄を減らすことができる。
【００１３】
請求項４の発明によれば、受水壁部に到来した水は傾斜天面に沿って幅方向中央側へ流れるため、水が受水壁部の幅方向外側の端部を超えて側方に落下するのを抑制することができる。
【図面の簡単な説明】
【００１４】
【図１】図１は、本発明の実施形態にかかる軒樋吊具を軒下に取り付けた状態を示す側面図である。
【図２】図２は、本発明の実施形態にかかる軒樋吊具の固定部材の斜視図である。
【図３】図３は、本発明の実施形態にかかる軒樋吊具の固定部材の側面図である。
【図４】図４は、図３のIV-IV断面図である。
【図５】図５は、本発明の実施形態の第１変形例にかかる軒樋吊具の固定部材の図３のIV-IV断面と同等位置の断面図である。
【図６】図６は、本発明の実施形態の第２変形例にかかる軒樋吊具の固定部材の図３のIV-IV断面と同等位置の断面図である。
【発明を実施するための形態】
【００１５】
以下、本発明の実施形態について図面を参照しながら詳細に説明する。なお、以下の実施形態および変形例には同様の構成要素が含まれている。よって、それら同様の構成要素については共通の符号を付与するとともに、重複する説明を省略する。また、各図中、軒外方をＯＵＴ、上方をＵＰ、軒樋吊具の幅方向をＷＤと記す。
【００１６】
本実施形態にかかる軒樋吊具１は、軒５の下の鼻隠し６にねじ等で固定される固定部材２と、この固定部材２に連結具４を介して連結される軒樋支持部３と、を備えている。そして、軒樋支持部３に軒樋７が係止されている。
【００１７】
軒樋支持部３には、軒外方（図１の左右方向）に向けて細長く伸びる長穴（図示せず）が形成されており、連結具４は、この長穴および固定部材２に形成された貫通孔２ｊ（図２参照）を貫通するボルトと、このボルトに螺結されるナットと、を備えている。そして、固定部材２に対する軒樋支持部３の取付位置、すなわち軒５に対する軒樋７の取付位置を、長穴の延設方向、すなわち図１の左右方向に沿って、可変設定できるようになっている。
【００１８】
図２に示すように、固定部材２は、鼻隠し６に固定される鼻隠し固定部２ａと、当該鼻隠し固定部２ａから軒外方に向けて伸びるアーム部２ｂとを備えている。固定部材２は、金属材料あるいは合成樹脂材料によって形成することができる。
【００１９】
鼻隠し固定部２ａは、略矩形板状に形成されており、ねじ等の締結具を貫通させる貫通孔２ｃが複数形成されている。
【００２０】
アーム部２ｂは、鼻隠し固定部２ａから軒外方に向けて略帯状に伸びる天壁部２ｄと、天壁部２ｄの幅方向両端部でそれぞれ下方に向けて突出して天壁部２ｄの延伸方向に略沿って略帯状に伸びる一対の側壁部２ｅと、を備えている。そして、天壁部２ｄの幅方向両端部には、それぞれ上方に向けて突出して天壁部２ｄの延伸方向に略沿って伸びる遮水壁部２ｆが設けられている。また、天壁部２ｄの幅方向中央部には、上面では上方に突出するとともに下面では下方に突出して天壁部２ｄの延伸方向に略沿って伸びるリブ２ｈが形成されている。リブ２ｈは、アーム部２ｂの基端側（鼻隠し固定部２ａ側）から軒外方の先端側まで伸びて当該先端側で貫通孔２ｊの周縁に形成された膨出部２ｉと連設されており、アーム部２ｂの剛性向上に資するものである。なお、遮水壁部２ｆおよびリブ２ｈの突出高さは、いずれも長手方向に略一定となっている。
【００２１】
ここで、図３に示すように、天壁部２ｄおよび遮水壁部２ｆは、いずれも軒外方に向かうにつれて下方に傾斜している。また、図４に示すように、天壁部２ｄは、中央部から幅方向両端側に向けて下方に傾斜している。したがって、天壁部２ｄ上に到来した雨水等の水は、図２中に破線矢印で示すように、遮水壁部２ｆの幅方向中央側の根元部２ｆｂに沿って、軒外方に向けて流れることになる。
【００２２】
そして、本実施形態では、一対の側壁部２ｅのそれぞれの下端部に、天壁部２ｄの幅方向外側に向けて突出して軒外方に向けて下方に傾斜しながら天壁部２ｄの延伸方向に略沿って延伸する受水壁部２ｇを設けてある。したがって、水が天壁部２ｄ上から遮水壁部２ｆを超えた場合にあっても、その水を受水壁部２ｇで受けて軒外方側へ流すことができるため、水が側方へ落下するのをより一層抑制することができる。
【００２３】
受水壁部２ｇの軒外方側の先端２ｇｔは、固定部材２に対する軒樋支持部３の取付位置によらず、軒樋７の溝部の上方に配置されるようにしてある。したがって、受水壁部２ｇを軒外方に向けて流れた水は、その先端２ｇｔから軒樋７内へ流入することになる。
【００２４】
また、この受水壁部２ｇには、図４に示すように、天壁部２ｄの幅方向中央に向けて下方に傾斜する傾斜天面２ｇａが形成されている。よって、受水壁部２ｇに到来した水は傾斜天面２ｇａに沿って幅方向中央側へ向けて側壁部２ｅに近づくように流れ、図２中に破線矢印で示すように、受水壁部２ｇの幅方向中央側の根元部２ｇｂに沿って、軒外方に向けて流れることになる。すなわち、かかる傾斜天面２ｇａを形成することにより、水が受水壁部２ｇの幅方向外側の端部を超えて側方に落下するのをより一層抑制することができる。
【００２５】
また、図２，図３に示すように、遮水壁部２ｆの軒外方側には、軒外方側に向かうにつれて受水壁部２ｇに近接して遮水壁部２ｆに沿って流れる水を受水壁部２ｇに導くガイド部２ｋを設けてある。ガイド部２ｋは、本実施形態では、遮水壁部２ｆの軒外方側に連設されて側壁部２ｅの外面（側面）上に突設されており、遮水壁部２ｆの軒外方側の先端２ｆｔから、軒外方に向かうにつれて下方に向かうように傾斜しながら伸びている。このように、ガイド部２ｋを設けることで、水を遮水壁部２ｆから受水壁部２ｇへより確実に導くことができるため、水が側方へ落下するのをより一層抑制することができる。
【００２６】
また、図３に示すように、受水壁部２ｇの軒外方側の先端２ｇｔを、ガイド部２ｋの軒外方側の先端２ｋｔより軒外方側に設定してある。上述したように、本実施形態では、水を遮水壁部２ｆからガイド部２ｋを経由して受水壁部２ｇへ導き、当該受水壁部２ｇから軒樋７内へ流すようにしたため、ガイド部２ｋを受水壁部２ｇよりも軒外方側に延伸させる必要がない。よって、かかる構成によれば、ガイド部２ｋをより短く形成し、材料の無駄を減らして固定部材２をより軽量に構成ことができる。
【００２７】
上記構成では、アーム部２ｂの長手方向（天壁部２ｄの延伸方向）に略沿って延伸する遮水壁部２ｆや、受水壁部２ｇ、リブ２ｈは、いずれもアーム部２ｂの剛性向上に資するものとなっている。中でも受水壁部２ｇは、比較的幅広で、しかも基端側（鼻隠し固定部２ａ側）から先端側（軒外方側）にかけて比較的長く形成されるため、リブ２ｈとともに剛性向上に役立つものとなる。また、これら延伸部分の剛性向上効果は、固定部材２を合成樹脂の成型品として構成した場合に、特に有効となる。
【００２８】
以上、説明したように、本実施形態では、側壁部２ｅの下端部で天壁部２ｄの幅方向外方に向けて突出し軒外方に向けて下方に傾斜しながら天壁部２ｄの延伸方向に略沿って延伸する受水壁部２ｇを設けた。よって、水が遮水壁部２ｆを超えた場合にあっても、その水を受水壁部２ｇで受けて軒外方側へ流すことができるため、水が側方へ落下するのをより一層抑制することができる。
【００２９】
また、本実施形態では、遮水壁部２ｆの軒外方側に、軒外方側に向かうにつれて受水壁部２ｇに近接して遮水壁部２ｆに沿って流れる水を受水壁部２ｇに導くガイド部２ｋを設けた。よって、ガイド部２ｋを設けない場合に比べて、水を遮水壁部２ｆから受水壁部２ｇへより確実に導くことができるため、水が側方へ落下するのをより一層抑制することができる。
【００３０】
また、本実施形態では、受水壁部２ｇの軒外方側の先端２ｇｔを、ガイド部２ｋの軒外方側の先端２ｋｔより軒外方側に設定した。よって、ガイド部２ｋの軒外方の先端２ｋｔに到来した水を受水壁部２ｇで受けて軒外方へ流すことができるため、ガイド部２ｋをより短く形成して、材料の無駄を減らすことができる。
【００３１】
また、本実施形態では、受水壁部２ｇに、天壁部２ｄの幅方向中央に向けて下方に傾斜する傾斜天面２ｇａを形成した。よって、受水壁部２ｇに到来した水は傾斜天面２ｇａに沿って幅方向中央側へ流れるため、水が受水壁部２ｇの幅方向外側の端部を超えて側方に落下するのを抑制することができる。
【００３２】
ところで、受水壁部２ｇは、図５や図６のように構成することもできる。図５の変形例にかかる固定部材２Ａでは、受水壁部２ｇの根元部２ｇｂに下方に凹む溝２ｇｃを形成してある。また、図６の変形例にかかる固定部材２Ｂでは、受水壁部２ｇの幅方向外側の端部に上方に突出して天壁部２ｄの延伸方向に略沿って伸びる外壁部２ｇｄを形成してある。これらの構成によれば、受水壁部２ｇにおける水の保持性が向上して、受水壁部２ｇから側方への水の落下をより一層抑制することができる。
【００３３】
以上、本発明の好適な実施形態について説明したが、本発明は上記実施形態には限定されず、種々の変形が可能である。各部材のスペック（形状、材質、大きさ等）は適宜に変更可能である。また、ガイド部と遮水壁部とを分離して設けてもよいし、ガイド部を設けない構成としてもよい。ガイド部を設けない構成の場合には受水壁部の軒外方側の先端を遮水壁部の軒外方側の先端よりも軒外方側に設定するのが好適である。また、受水壁部の断面形状や傾斜天面の形状等も適宜に変更して実施することが可能である。
【符号の説明】
【００３４】
１  軒樋吊具
２ａ  鼻隠し固定部
２ｂ  アーム部
２ｄ  天壁部
２ｅ  側壁部
２ｆ  遮水壁部
２ｇ  受水壁部
２ｇａ  傾斜天面
２ｇｔ  （受水壁部の）先端
２ｋ  ガイド部
２ｋｔ  （ガイド部の）先端
３  軒樋支持部
５  軒
６  鼻隠し
７  軒樋
【図１】
2010255266.tif 000003
【図２】
2010255266.tif 000004
【図３】
2010255266.tif 000005
【図４】
2010255266.tif 000006
【図５】
2010255266.tif 000007
【図６】
2010255266.tif 000008